(57)【要約】      （修正有）【課題】放熱効果、組立性を向上させたＢＬＵ及びディスプレイ装置を提供する。【解決手段】ＢＬＵは複数個の導光板２０１，２０４と、複数個の導光板２０１，２０４の各々の少なくとも二面に各々配置されている複数個の基板２０２及び複数個の発光部２０３を含み、該複数個の発光部２０３は複数個の導光板２０１，２０４の間に複数個の基板２０２の一面に配置されている。これにより、放熱面積が広くなりＢＬＵの放熱効果が向上し、ＢＬＵの組立性も向上する。【選択図】図２
2011096662.tif 000002
【特許請求の範囲】
【請求項１】
複数個の導光板と、
前記複数個の導光板の各々の少なくとも二面に各々配置されている複数個の基板と、
前記複数個の導光板の間に配置されており、前記複数個の基板の一面に配置されている複数個の発光部と、
を含むことを特徴とするＢＬＵ。
【請求項２】
前記複数個の基板は、
前記各導光板の下面と前記各導光板の側面のうち、何れかの一面に配置されていることを特徴とする請求項１に記載のＢＬＵ。
【請求項３】
前記各導光板の側面のうちの何れかの一面は、
隣に位置する導光板と隣接する面であることを特徴とする請求項２に記載のＢＬＵ。
【請求項４】
前記複数個の基板は、
垂直に曲げられて前記複数個の導光板の各々の二面に接触されていることを特徴とする請求項１に記載のＢＬＵ。
【請求項５】
前記複数個の基板は、
前記導光板から漏出する光を反射させる反射面が含まれることを特徴とする請求項１に記載のＢＬＵ。
【請求項６】
前記複数個の基板は、
フレキシブル印刷回路基板であることを特徴とする請求項１に記載のＢＬＵ。
【請求項７】
ボトムシャーシと、
前記複数個の導光板の各々と、前記複数個の基板の各々を前記ボトムシャーシに固定させる複数個の固定部を更に含むことを特徴とする請求項１に記載のＢＬＵ。
【請求項８】
前記発光部の放熱効果は、
前記複数個の導光板の各々の下面に、複数個の基板の各々が配置された部分の面積に比例することを特徴とする請求項２に記載のＢＬＵ。
【請求項９】
前記ＢＬＵは、分割型導光板方式で構成されたことを特徴とする請求項１に記載のＢＬＵ。
【請求項１０】
前記ＢＬＵからバックライトが提供されて映像が表示されるディスプレイパネルと、
を更に含む請求項１乃至請求項９のうちの何れかの一項に記載のディスプレイ装置。
【発明の詳細な説明】
【技術分野】
【０００１】
本発明は、ＢＬＵ（Ｂａｃｋ  Ｌｉｇｈｔ  Ｕｎｉｔ）及びディスプレイ装置（ｄｉｓｐｌａｙ  ａｐｐａｒａｔｕｓ）に関し、より詳細には、ディスプレイ内の発光モジュールをバックライトとし、映像をディスプレイするＢＬＵ及びディスプレイ装置に関する。
【背景技術】
【０００２】
現在、最も普遍化されているディスプレイであるＬＣＤ（Ｌｉｑｕｉｄ  Ｃｒｙｓｔａｌ  Ｄｉｓｐｌａｙ）は自らは発光することができない。従って、ＬＣＤパネルには、ＬＣＤでバックライトを投射するＢＬＵ（Ｂａｃｋ  Ｌｉｇｈｔ  Ｕｎｉｔ）が必要である。
ＢＬＵは、バックライトを発生させる発光部と、発光部から出射されるバックライトをディスプレイパネル面に均一に伝達する導光板で構成される。発光部は、ＬＣＤにバックライトを効率良く投射できるように配置されている発光素子と、発光素子を駆動させるための駆動素子で構成される。駆動素子は発光素子を駆動させるうえで支障がないように、適正個数で実現される。尚、過去には、ＢＬＵの発光素子がどこに位置するかによって、直下型方式、エッジ（ｅｄｇｅ）型方式で区分されていた。直下型方式は、発光素子がＢＬＵ全体にバランス良く配置されており、エッジ型方式は、発光素子がＢＬＵの縁部のみに配置されている。
【０００３】
しかし、最近では、分割型導光板方式（又は、ｔａｎｄｅｍ方式）のＢＬＵが開発された。分割型導光板方式とは、ＬＣＤパネルに光を供給する導光板が数枚で構成されている方式のことである。分割型導光板方式で製作されたＢＬＵは、直下型方式のみで可能であったローカルディミング（ｌｏｃａｌ  ｄｉｍｍｉｎｇ）が実現できるだけでなく、エッジ型方式と同様に超薄型に製作することも可能となった。
従って、分割型導光板方式に使われるＢＬＵの放熱効果の向上及び組立性の向上のためのＢＬＵ設計の方策への模索が要求される。
【先行技術文献】
【特許文献】
【０００４】
【特許文献１】ＫＲ１９９８−０１１２５３号
【特許文献２】ＫＲ１０−０８８０９８７号
【特許文献３】ＫＲ１０−０８２１０９４号
【特許文献４】ＪＰ２００８−１０３３１７号
【発明の概要】
【発明が解決しようとする課題】
【０００５】
本発明は、上記のような問題点を解決するために案出されたものであり、本発明の目的は、導光板の二面に配置されるＰＣＢとＰＣＢの一面に配置されている発光素子を含むＢＬＵ及びディスプレイ装置を提供することにある。
【課題を解決するための手段】
【０００６】
前記目的を達成するための本発明に係るディスプレイ装置は、映像が表示されるディスプレイパネルと、前記ディスプレイパネルにバックライトを提供するＢＬＵ（Ｂａｃｋ  Ｌｉｇｈｔ  Ｕｎｉｔ）と、を含み、前記ＢＬＵは、複数個の導光板と、前記複数個の導光板の各々の少なくとも二面に各々配置されている複数個の基板と、及び前記複数個の導光板の間に配置されており、前記複数個の基板の一面に配置されている複数個の発光部と、を含む。
【０００７】
そして、前記複数個の基板は、前記各導光板の下面と前記各導光板の側面のうち、何れかの一面に配置されていることが望ましい。
尚、前記各導光板の側面のうちの何れかの一面は、隣に位置する導光板と隣接する面であることが望ましい。
そして、前記複数個の基板は、垂直に曲げられて前記複数個の導光板の各々の二面に接触されていることが望ましい。
尚、前記複数個の基板は、前記導光板から漏出する光を反射させる反射面が含まれることが望ましい。
そして、前記複数個の基板は、フレキシブル（Ｆｌｅｘｉｂｌｅ）印刷回路基板であることが望ましい。
尚、前記ＢＬＵは、ボトムシャーシ（ｂｏｔｔｏｍ  ｃｈａｓｓｉｓ）と、及び前記複数個の導光板の各々と、前記複数個の基板の各々を前記ボトムシャーシに固定させる複数個の固定部を更に含むことが望ましい。
そして、前記発光部の放熱効果は、前記複数個の導光板の各々の下面に、複数個の基板の各々が配置された部分の面積に比例する。
尚、前記ＢＬＵは、分割型導光板方式で構成されたものが望ましい。
【０００８】
一方、本発明に係るＢＬＵは、複数個の導光板と、前記複数個の導光板の各々の少なくとも二面に各々配置されている複数個の基板と、及び前記複数個の導光板の間に配置されており、前記複数個の基板の一面に配置されている複数個の発光部と、を含む。
そして、前記複数個の基板は、前記各導光板の下面と前記各導光板の側面のうち、何れかの一面に配置されていることが望ましい。
尚、前記各導光板の側面のうちの何れかの一面は、隣に位置する導光板と隣接する面であることが望ましい。
そして、前記複数個の基板は、垂直に曲げられて前記複数個の導光板の各々の二面に接触されていることが望ましい。
尚、前記複数個の基板は、前記導光板から漏出する光を反射させる反射面が含まれることが望ましい。
そして、前記複数個の基板は、フレキシブル印刷回路基板であることが望ましい。
尚、ボトムシャーシと、及び前記複数個の導光板の各々と、前記複数個の基板の各々を前記ボトムシャーシに固定させる複数個の固定部を更に含むことが望ましい。
そして、前記発光部の放熱効果は、前記複数個の導光板の各々の下面に、複数個の基板の各々が配置された部分の面積に比例する。
尚、前記ＢＬＵは、分割型導光板方式で構成されたものが望ましい。
【発明の効果】
【０００９】
以上説明したように、本発明によると、導光板の二面にＰＣＢが曲げられて配置されると、従来の発光素子を使うことができ、発光素子から発生する熱に対する放熱効果が向上し、ＢＬＵの組立性が向上するようになる。
【図面の簡単な説明】
【００１０】
【図１】本発明の一実施例に係るＬＣＤ装置のブロック図である。
【図２】本発明の一実施例に係るＢＬＵの一部を簡略に示した図である。
【図３】本発明の一実施例に係るＢＬＵを簡略に示した図である。
【図４】本発明の一実施例に係る固定ピンを備えたＢＬＵを簡略に示した図である。
【発明を実施するための形態】
【００１１】
以下に添付図面を参照しながら、本発明をより詳細に説明する。
【００１２】
図１は、本発明の適用可能なＬＣＤ（Ｌｉｑｕｉｄ  Ｃｒｙｓｔａｌ  Ｄｉｓｐｌａｙ）装置のブロック図である。図１に示されたように、ＬＣＤ装置１００は、映像入力部１０１、映像処理部１０２、ＢＬＵ（ｂａｃｋ  ｌｉｇｈｔ  ｕｎｉｔ）１０３及びＬＣＤパネル１０４を含む。
映像入力部１０１は、ワイヤレス又はケーブルで外部機器又は外部システムと接続されるためのインターフェースを含み、外部機器又は外部システムから映像が入力される。映像入力部１０１は、入力された映像を映像処理部１０２に伝達する。
映像処理部１０２は、入力された映像を後述のＬＣＤパネル１０４に適した形態に変換した映像信号を生成し、ＢＬＵ１０３のローカルディミングのための明るさ制御信号を生成する。尚、このような映像処理部１０２は、ＢＬＵ１０３の発光部（図示せず）の動作が行われるようにするための信号を生成してＢＬＵ１０３に伝達する。
ＢＬＵ１０３には、映像処理部１０２から生成された信号が受信され、発光部２０３を駆動し、ＬＣＤパネル１０４にバックライトを投射する。これは、ＬＣＤパネル１０４は自らは発光できないためである。ＢＬＵ１０３は、発光部２０３及び導光板２０１を含む。発光部は、バックライトを出射する発光素子と、発光素子を駆動させる駆動素子で構成されている。導光板２０１は、発光部から出射されたバックライトを、ＬＣＤパネル１０４のパネル面に均一に伝達する役割を果たす。
【００１３】
具体的に、発光部２０３から出射されたバックライトが、導光板２０１に入射するようになる。導光板２０１に入射されたバックライトは、導光板２０１のパターン及び反射シート、プリズムシートを通過しつつ輝度が向上し、輝度の均一度も向上するようになる。導光板２０１を通過したバックライトは、ＬＣＤパネル１０４に伝達される。
ＬＣＤパネル１０４は、ＢＬＵ１０３から発生したバックライトの透過率を調節して映像信号を可視化させ、画面にディスプレイされるようにする。このようなＬＣＤパネル１０４は、電極の生成された二つの基板が向かい合うように配置されており、両基板の間に、液晶物質が注入されて形成される。ここで、両電極に電圧を印加すると、電場が生成され、両基板の間に注入された液晶物質の分子を動かしてバックライトの透過率を調節する。
【００１４】
以下、図２を参考にして、本発明のＢＬＵの構造についてより詳細に記述する。図２は、本発明の一実施例に係るＢＬＵの一部を簡略に示した図である。
図２に示されたように、本発明のＢＬＵは、複数個の導光板２０１、２０４、ＰＣＢ（ｐｒｉｎｔｅｄ  ｃｉｒｃｕｉｔ  ｂｏａｒｄ）２０２及び発光部２０３を備える。
導光板２０１、２０４は、上述のように、発光部２０３から出射されたバックライトをＬＣＤパネル１０４のパネル面に均一に伝達する役割を果たす。複数個の導光板２０１、２０４は、一定の間隔を保ちながら配置されている。
【００１５】
導光板２０１の少なくとも二面に、ＰＣＢ２０２が曲げられて配置されている。具体的に、ＰＣＢ２０２が配置されている二面は、導光板２０１の下面と、隣に位置する導光板２０４と隣接する側面のうちの一面である。ここで隣に位置する導光板２０４と隣接する側面のうちの一面は、複数個の導光板毎に同じ方向の側面にある。例えば、図２に示されたように、導光板２０１の右側面にＰＣＢ２０２が配置されているとしたら、他の導光板２０４も、右側面にＰＣＢ（図示せず）が配置されるようになる。
ＰＣＢ２０２は、上述のように、導光板２０１の下面と、隣に位置する導光板２０４と隣接する側面のうちの一面に曲げられて配置されている。ＰＣＢ２０２は、曲げられることができ、厚さを薄くするためにフレキシブル（Ｆｌｅｘｉｂｌｅ）ＰＣＢを使うことができる。
特に、ＰＣＢ２０２は、導光板２０１の下面に配置された部分の面積が、導光板２０１の下面の半分以上になることができる。ＰＣＢ２０２の導光板２０１の下面に配置された部分の面積が導光板２０１の下面の半分以上であれば、導光板２０１が曲がらないため、ＰＣＢ２０２と導光板２０１は更に硬く固定されることができ、放熱面積が広くなって放熱効果も向上する。
尚、ＰＣＢ２０２を導光板２０１の下面と接触面積を広くすると、熱を放つことのできる放熱面積が広くなり、導光板２０１が簡単に固定されるようになる。従って、ＰＣＢ２０２を導光板２０１の下面と接触面積を広くすることは、放熱効果の増大及び組立性の向上に役立つ。
尚、ＰＣＢ２０２は、導光板２０１からバックライトが漏洩することを防ぐために、反射面を含むことができる。一般的に、導光板２０１は、導光板２０１からバックライトが漏洩することを防ぐために別途の反射シートを含む。しかし、別途の反射シート無しに、ＰＣＢ２０２と導光板２０１とが接触する面を反射面に製作すると、導光板から漏洩するバックライトは、ＰＣＢ２０２の反射面によって反射されることができる。従って、ＰＣＢ２０２の反射面は、別途の反射シート無しでも、輝度を向上させる。
【００１６】
発光部２０３は、駆動素子によって駆動されてバックライトを出射する。発光部２０３によって出射されたバックライトは隣に位置する導光板２０４に入射され、隣に位置する導光板２０４は入射されたバックライトをＬＣＤパネル面に均一に伝達できるようにする。
尚、発光部２０３は、図２に示されたような広い面が、ＰＣＢ２０２に配置されている。広い面がＰＣＢ２０２に配置されているものは、狭い面がＰＣＢ２０２に配置されているものより、発光部２０３はより簡単に垂直を保てるようになる。もし、狭い面がＰＣＢ２０２に配置されているとしたら、発光部２０３は垂直に保つことが困難になるだけでなく、多くの熱が導光板に加わることになるため、導光板が変形しかねない。従って、広い面がＰＣＢ２０２に配置されていることは、発光部２０３とＰＣＢ２０２とが接する面積が広くなり、発光部２０３から発生する熱を放つ放熱効果を向上させることができ、更に隣に位置する導光板２０４への熱による影響を軽減することができる。
【００１７】
以下、図３及び図４を参考にして、本発明のＢＬＵの構造についてより詳細に記述する。図３は、本発明の一実施例に係るＢＬＵを簡略に示した図である。
図３に示されたように、本発明のＢＬＵは、複数個の導光板３０１、３１１、３２１、複数個のＰＣＢ３０２、３１２、３２２、複数個の発光部３０３、３１３、３２３及びボトムシャーシ３０４を備える。
【００１８】
複数個の導光板３０１、３１１、３２１は上述のように、複数個の発光部３０３、３１３、３２３の各々から出射されたバックライトをＬＣＤパネル１０４のパネル面に均一に伝達する役割を果たす。複数個の導光板３０１、３１１、３２１は、相互に一定の間隔を保ちつつ、ボトムシャーシ（ｂｏｔｔｏｍ  ｃｈａｓｓｉｓ）３０４に配置されている。ここで、ボトムシャーシ３０４とは、ＢＬＵの最終的に締結される部品として、Ｂａｃｋ  Ｌｉｇｈｔの全体的な衝撃補強及び保護の役割を果たしている。一般的に、ボトムシャーシには発光部及び導光板が配置される。
複数個の導光板３０１、３１１、３２１の各々の少なくとも二面には、複数個のＰＣＢ３０２、３１２、３２２が各々曲げられて配置されている。例えば、ＰＣＢ３０２は配置されている二面は、導光板３０１の下面と、隣に位置する導光板３１１と隣接する側面のうちの一面である。ここで、隣に位置する導光板３１１と隣接する側面のうちの一面は、複数個の導光板毎に同じ方向の側面にある面である。例えば、図３に示されたように、導光板３０１の右側面にＰＣＢ３０２が配置されているとしたら、他の導光板３１１、３２１の各々の右側面に、ＰＣＢ３１２、３２２が配置されるようになる。
複数個のＰＣＢ３０２、３１２、３２２は、上述のように、導光板３０１、３１１、３２１の下面と、隣に位置する導光板と隣接する側面のうちの一面に曲げられて配置されている。複数個のＰＣＢ３０２、３１２、３２２は曲げられることができ、厚さを薄くするために、フレキシブルＰＣＢを使うことができる。
尚、複数個のＰＣＢ３０２、３１２、３２２の各々を、複数個のＰＣＢ３０２、３１２、３２２が配置されている導光板３０１、３１１、３２１の下面と接触面積を広くすると、熱を放つことのできる放熱面積が広くなり、導光板３０１、３１１、３２１はボトムシャーシに簡単に固定されることができるようになる。具体的に、複数個のＰＣＢ３０２、３１２、３２２の各々を複数個のＰＣＢ３０２、３１２、３２２が配置されている導光板３０１、３１１、３２１の下面と接触面積を広くすると、導光板、ＰＣＢ及びボトムシャーシは、固定部材を介して一度に固定されることができる。従って、複数個のＰＣＢ３０２、３１２、３２２の各々を、複数個のＰＣＢ３０２、３１２、３２２が配置されている導光板３０１、３１１、３２１の下面と接触面積を広くすることは、放熱効果の増大及び組立性の向上に役立つ。
尚、複数個のＰＣＢ３０２、３１２、３２２は、複数個の導光板３０１、３１１、３２１からバックライトが漏洩することを防ぐために、反射面を含むことができる。具体的に、複数個のＰＣＢ３０２、３１２、３２２は、複数個の導光板３０１、３１１、３２１と接触する面に、各々反射面が形成されている。一般的に、導光板３０１、３１１、３２１は導光板からバックライトが漏洩することを防ぐために別途の反射シートを含む。しかし、別途の反射シート無しに、複数個のＰＣＢ３０２、３１２、３２２の一面の各々を反射面に製作すると、導光板３０１、３１１、３２１から漏洩するバックライトは、複数個のＰＣＢ３０２、３１２、３２２の各々の反射面によって反射される。従って、複数個のＰＣＢ３０２、３１２、３２２の各々の反射面は、別途の反射シート無しでもバックライトの輝度を向上させる。
【００１９】
複数個の発光部３０３、３１３、３２３は、駆動素子によって駆動されてバックライトを出射する。複数個の発光部３０３、３１３、３２３によって出射されたバックライトは隣に位置する導光板に入射され、隣に位置する導光板は、入射されたバックライトをＬＣＤパネル面に均一に伝達されるようにする。
尚、発光部３０３、３１３、３２３は、図３に示されたような広い面が、複数個のＰＣＢ３０２、３１２、３２２の各々に配置されている。広い面がＰＣＢ３０２、３１２、３２２に配置されているものは、狭い面がＰＣＢ３０２、３１２、３２２に配置されているものより、より簡単に発光部３０３、３１３、３２３を垂直に保てるようになる。もし、狭い面がＰＣＢ３０２、３１２、３２２に配置されているとしたら、垂直に保つことが困難になるだけでなく、多くの熱が導光板に加わるようになるため、導光板が変形しかねない。従って、広い面がＰＣＢ３０２、３１２、３２２に配置されていることは、ＰＣＢ３０２、３１２、３２２と接する面積が広くなり、発光部３０３、３１３、３２３から発生する熱を放つ放熱効果を向上させることができ、更に隣に位置する導光板２０４への熱による影響を軽減することができる。
【００２０】
図４は、本発明の一実施例に係る固定ピンを備えたＢＬＵを簡略に示した図である。
図４に示されたように、本発明のＢＬＵは、複数個の導光板４０１、４１１、４２１、複数個のＰＣＢ４０２、４１２、４２２、複数個の発光部４０３、４１３、４２３、ボトムシャーシ４０４及び固定ピン４０５を備える。
本実施例の複数個の導光板４０１、４１１、４２１、複数個のＰＣＢ４０２、４１２、４２２、複数個の発光部４０３、４１３、４２３及びボトムシャーシ４０４は、図３での説明と同様である。
固定ピン４０５は、複数個の導光板４０１、４１１、４２１と複数個のＰＣＢ４０２、４１２、４２２の各々をボトムシャーシ４０４に接続させる。具体的に、複数個の発光部４０３、４１３、４２３の各々には、ホール（ｈｏｌｅ）が形成されている。形成されたホールを介して、固定ピン４０５は複数個の導光板４０１、４１１、４２１と複数個のＰＣＢ４０２、４１２、４２２の各々をボトムシャース４０４に接続させる。
従って、従来は、発光部を固定する方法が、導光板を押して固定する方式で、導光板は曲がったり硬く固定されないという短所があった。しかし、固定ピンを通じて導光板４０１とＰＣＢ４０２とをボトムシャーシ４０４に接続させると、導光板をより硬く固定させることができるとの長所がある。
【００２１】
本実施例で言及したディスプレイ装置は、ＬＣＤに想定したが、これは例示のものに過ぎない。ＬＣＤの以外に、他のディスプレイでもバックライトを必要とするものなら、本発明の技術的な思想が適用されることができる。
尚、本実施例で言及したＰＣＢは、フレキシブルＰＣＢに想定したが、これは例示のものに過ぎない。フレキシブルＰＣＢ以外に、導光板の二面に配置されることができるように曲げられるＰＣＢなら、本発明の技術的な思想が適用されることができる。
尚、本実施例で言及した固定部は、固定ピン４０５に想定したが、これは例示のものに過ぎない。固定ピン４０５の以外に、導光板とＰＣＢとをボトムシャーシで接続できる固定部なら、本発明の技術的な思想が適用されることができる。
更に、ディスプレイ装置を実現する場合のみならず、ＢＬＵのみを実現する場合にも適用されることができる。
【００２２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００２３】
１０１  映像入力部
１０２  映像処理部
１０３  ＢＬＵ
１０４  ＬＣＤパネル
２０１，２０４  導光板
２０２  ＰＣＢ
２０３  発光部
３０１，３１１，３２１  導光板
３０２，３１２，３２２  ＰＣＢ
３０３，３１３，３２３  発光部
３０４  ボトムシャーシ
４０１，４１１，４２１  導光板
４０２，４１２，４２２  ＰＣＢ
４０３，４１３，４２３  発光部
４０４  ボトムシャーシ
４０５  固定ピン
【図１】
2011096662.tif 000003
【図２】
2011096662.tif 000004
【図３】
2011096662.tif 000005
【図４】
2011096662.tif 000006